(57)【要約】【課題】印刷指示を発信した携帯端末の位置情報に基づいてプリンタの印刷を制御することが可能な印刷制御装置、方法、システムおよびプログラムを提供することを目的とする。【解決手段】携帯端末は位置情報を印刷指示に含めて印刷制御装置に対して送信し、位置情報検出部は印刷指示に含まれている位置情報を検出し、印刷制御装置内部で処理可能な形式に変更し、印刷制御部は設定処理部を介して設定データベースに保管されている印刷許可設定を参照し、位置情報が印刷が許可されている範囲内であるか否かを判断し、範囲内であると判断した場合は印刷許可と判定し、範囲外であると判断した場合は印刷禁止と判定する。印刷許可と判定した場合、印刷制御部は設定処理部を介して設定データベースに保管されている印刷設定を参照し、位置情報に対応する印刷設定を取得し、取得した印刷設定に従った印刷処理を行い、印刷データをプリンタに対して送信する。【選択図】図１
2007148532.tif 000002
【特許請求の範囲】
【請求項１】
携帯端末から送信された印刷指示および該携帯端末の位置を示す位置情報を無線ネットワークを介して受信する受信手段と、
前記受信手段で受信した位置情報に基づき、印刷処理の制御を行う印刷制御手段と
を具備することを特徴とする印刷制御装置。
【請求項２】
前記位置情報に対応する印刷処理の許可／禁止の設定を保管する印刷許可設定保管手段
を更に具備し、
前記印刷制御手段は、
前記印刷許可設定保管手段に保管されている位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可する
ことを特徴とする請求項１記載の印刷制御装置。
【請求項３】
前記位置情報に対応する印刷設定を保管する印刷設定保管手段
を更に具備し、
前記印刷制御手段は、
前記印刷設定保管手段に保管されている位置情報に対応する印刷設定に基づき、前記携帯端末から送信された印刷指示に含まれる位置情報に対応する印刷設定を取得し、
該取得した印刷設定に従って印刷処理を実行する
ことを特徴とする請求項１記載の印刷制御装置。
【請求項４】
前記位置情報に基づき、前記携帯端末で印刷指示を行った印刷指示者が、該印刷指示により指定された画像形成を行う画像形成手段に到着するのに係る時間を算出する到着時間算出手段と、
前記画像形成手段に到着するのに係る時間に基づいて該画像形成手段のウォームアップ動作の開始を制御するウォームアップ制御手段と
を更に具備することを特徴とする請求項１記載の印刷制御装置。
【請求項５】
画像形成を行う画像形成手段のウォームアップ動作を開始するウォームアップ動作開始範囲を保管するウォームアップ開始範囲保持手段と、
前記位置情報に基づき、前記携帯端末で印刷指示を行った印刷指示者が、該印刷指示により指定された前記画像形成手段に到着するのに係る時間を算出する到着時間算出手段と、
前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御するウォームアップ制御手段と
を更に具備することを特徴とする請求項１記載の印刷制御装置。
【請求項６】
前記位置情報に基づき、前記携帯端末で印刷指示を行った印刷指示者が、該印刷指示により指定された画像形成を行う画像形成手段に到着する時刻を算出する到着時刻算出手段と、
前記画像形成手段に到着する時刻に基づいて該画像形成手段のウォームアップ動作の開始を制御するウォームアップ制御手段と
を更に具備することを特徴とする請求項１記載の印刷制御装置。
【請求項７】
画像形成を行う画像形成手段のウォームアップ動作を開始するウォームアップ動作開始範囲を保管するウォームアップ開始範囲保持手段と、
前記位置情報に基づき、前記携帯端末で印刷指示を行った印刷指示者が、該印刷指示により指定された前記画像形成手段に到着する時刻を算出する到着時刻算出手段と、
前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御するウォームアップ制御手段と
を更に具備することを特徴とする請求項１記載の印刷制御装置。
【請求項８】
受信手段が携帯端末から送信された印刷指示および該携帯端末の位置を示す位置情報を無線ネットワークを介して受信し、
印刷制御手段が前記受信した位置情報に基づき、印刷処理の制御を行う
ことを特徴とする印刷制御方法。
【請求項９】
印刷許可設定保管手段が前記位置情報に対応する印刷処理の許可／禁止の設定を保管し、
前記印刷制御手段が、
前記位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可する
ことを特徴とする請求項８記載の印刷制御方法。
【請求項１０】
印刷設定保管手段が前記位置情報に対応する印刷設定を保管し、
前記印刷制御手段が、
前記位置情報に対応する印刷設定に基づき、前記携帯端末から送信された印刷指示に含まれる位置情報に対応する印刷設定を取得し、
該取得した印刷設定に従って印刷処理を実行する
ことを特徴とする請求項８記載の印刷制御方法。
【請求項１１】
到着時間算出手段が前記位置情報に基づき、前記携帯端末で印刷指示を行った印刷指示者が、該印刷指示により指定された画像形成を行う画像形成手段に到着するのに係る時間を算出し、
ウォームアップ制御手段が前記画像形成手段に到着するのに係る時間に基づいて該画像形成手段のウォームアップ動作の開始を制御する
ことを特徴とする請求項８記載の印刷制御方法。
【請求項１２】
ウォームアップ開始範囲保持手段が画像形成を行う画像形成手段のウォームアップ動作を開始するウォームアップ動作開始範囲を保管し、
到着時間算出手段が前記位置情報に基づき、前記携帯端末で印刷指示を行った印刷指示者が、該印刷指示により指定された前記画像形成手段に到着するのに係る時間を算出し、
ウォームアップ制御手段が前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御する
ことを特徴とする請求項８記載の印刷制御方法。
【請求項１３】
到着時刻算出手段が前記位置情報に基づき、前記携帯端末で印刷指示を行った印刷指示者が、該印刷指示により指定された画像形成を行う画像形成手段に到着する時刻を算出し、
ウォームアップ制御手段が前記画像形成手段に到着する時刻に基づいて該画像形成手段のウォームアップ動作の開始を制御する
ことを特徴とする請求項８記載の印刷制御方法。
【請求項１４】
ウォームアップ開始範囲保持手段が画像形成を行う画像形成手段のウォームアップ動作を開始するウォームアップ動作開始範囲を保管し、
到着時刻算出手段が前記位置情報に基づき、前記携帯端末で印刷指示を行った印刷指示者が、該印刷指示により指定された前記画像形成手段に到着する時刻を算出し、
ウォームアップ制御手段が前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御する
ことを特徴とする請求項８記載の印刷制御方法。
【請求項１５】
印刷指示および自機の位置を示す位置情報を無線ネットワークを介して送信する携帯端末と、
前記携帯端末から送信された印刷指示および位置情報を前記無線ネットワークを介して受信する受信手段と、
前記受信手段で受信した位置情報に基づき、印刷処理の制御を行う印刷制御手段と
を具備する印刷制御装置と
を具備することを特徴とする印刷制御システム。
【請求項１６】
前記印刷制御装置は、
前記位置情報に対応する印刷処理の許可／禁止の設定を保管する印刷許可設定保管手段
を更に具備し、
前記携帯端末は、
前記印刷制御装置に対して前記位置情報を含む印刷指示を送信し、
前記印刷制御手段は、
前記印刷許可設定保管手段に保管されている位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可する
ことを特徴とする請求項１５記載の印刷制御システム。
【請求項１７】
前記印刷制御装置は、
前記位置情報に対応する印刷設定を保管する印刷設定保管手段
を更に具備し、
前記携帯端末は、
前記印刷制御装置に対して前記位置情報を含む印刷指示を送信し、
前記印刷制御手段は、
前記印刷設定保管手段に保管されている位置情報に対応する印刷設定に基づき、前記携帯端末から送信された印刷指示に含まれる位置情報に対応する印刷設定を取得し、
該取得した印刷設定に従って印刷処理を実行する
ことを特徴とする請求項１５記載の印刷制御システム。
【請求項１８】
前記印刷制御装置は、
前記位置情報に基づき、前記携帯端末で印刷指示を行った印刷指示者が、該印刷指示により指定された画像形成を行う画像形成手段に到着するのに係る時間を算出する到着時間算出手段と、
前記画像形成手段に到着するのに係る時間に基づいて該画像形成手段のウォームアップ動作の開始を制御するウォームアップ制御手段と
を更に具備することを特徴とする請求項１５記載の印刷制御システム。
【請求項１９】
前記印刷制御装置は、
画像形成を行う画像形成手段のウォームアップ動作を開始するウォームアップ動作開始範囲を保管するウォームアップ開始範囲保持手段と、
前記位置情報に基づき、前記携帯端末で印刷指示を行った印刷指示者が、該印刷指示により指定された前記画像形成手段に到着するのに係る時間を算出する到着時間算出手段と、
前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御するウォームアップ制御手段と
を更に具備することを特徴とする請求項１５記載の印刷制御システム。
【請求項２０】
前記印刷制御装置は、
前記位置情報に基づき、前記携帯端末で印刷指示を行った印刷指示者が、該印刷指示により指定された画像形成を行う画像形成手段に到着する時刻を算出する到着時刻算出手段と、
前記画像形成手段に到着する時刻に基づいて該画像形成手段のウォームアップ動作の開始を制御するウォームアップ制御手段と
を更に具備することを特徴とする請求項１５記載の印刷制御システム。
【請求項２１】
前記印刷制御装置は、
画像形成を行う画像形成手段のウォームアップ動作を開始するウォームアップ動作開始範囲を保管するウォームアップ開始範囲保持手段と、
前記位置情報に基づき、前記携帯端末で印刷指示を行った印刷指示者が、該印刷指示により指定された前記画像形成手段に到着する時刻を算出する到着時刻算出手段と、
前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御するウォームアップ制御手段と
を更に具備することを特徴とする請求項１５記載の印刷制御システム。
【請求項２２】
携帯端末から送信された印刷指示および該携帯端末の位置を示す位置情報を無線ネットワークを介して受信する処理と、
該受信した位置情報に基づき、印刷処理の制御を行う処理と
をコンピュータに動作させることを特徴とする印刷制御プログラム。
【請求項２３】
前記位置情報に対応する印刷処理の許可／禁止の設定を保管する処理と、
該保管されている位置情報に対応する印刷処理の許可／禁止の設定に基づいて、前記携帯端末から送信された印刷指示に含まれる位置情報に対応する印刷処理が許可の場合、前記印刷指示に応じた印刷処理の実行を許可する処理と
をコンピュータに動作させることを特徴とする請求項２２記載の印刷制御プログラム。
【請求項２４】
前記位置情報に対応する印刷設定を保管する処理と、
該保管されている位置情報に対応する印刷設定に基づき、前記携帯端末から送信された印刷指示に含まれる位置情報に対応する印刷設定を取得する処理と、
該取得した印刷設定に従って印刷処理を実行する処理と
をコンピュータに動作させることを特徴とする請求項２２記載の印刷制御プログラム。
【請求項２５】
前記位置情報に基づき、前記携帯端末で印刷指示を行った印刷指示者が、該印刷指示により指定された画像形成を行う画像形成手段に到着するのに係る時間を算出する処理と、
前記画像形成手段に到着するのに係る時間に基づいて該画像形成手段のウォームアップ動作の開始を制御する処理と
をコンピュータに動作させることを特徴とする請求項２２記載の印刷制御プログラム。
【請求項２６】
画像形成を行う画像形成手段のウォームアップ動作を開始するウォームアップ動作開始範囲を保管する処理と、
前記位置情報に基づき、前記携帯端末で印刷指示を行った印刷指示者が、該印刷指示により指定された前記画像形成手段に到着するのに係る時間を算出する処理と、
前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御する処理と
をコンピュータに動作させることを特徴とする請求項２２記載の印刷制御プログラム。
【請求項２７】
前記位置情報に基づき、前記携帯端末で印刷指示を行った印刷指示者が、該印刷指示により指定された画像形成を行う画像形成手段に到着する時刻を算出する処理と、
前記画像形成手段に到着する時刻に基づいて該画像形成手段のウォームアップ動作の開始を制御する処理と
をコンピュータに動作させることを特徴とする請求項２２記載の印刷制御プログラム。
【請求項２８】
画像形成を行う画像形成手段のウォームアップ動作を開始するウォームアップ動作開始範囲を保管する処理と、
前記位置情報に基づき、前記携帯端末で印刷指示を行った印刷指示者が、該印刷指示により指定された前記画像形成手段に到着する時刻を算出する処理と、
前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御する処理と
をコンピュータに動作させることを特徴とする請求項２２記載の印刷制御プログラム。
【発明の詳細な説明】
【技術分野】
【０００１】
本発明は、印刷制御装置、方法、システムおよびプログラムに関し、特に、携帯端末からの位置情報に基づいてプリンタの制御を行う印刷制御装置、方法、システムおよびプログラムに関する。
【背景技術】
【０００２】
ある施設内あるいはある会社のビルから発信された印刷指示だけを印刷許可したいといったように、印刷指示が発信された位置に応じて印刷の許可／禁止を制御したいという要望がある。
【０００３】
従来の技術では、例えば、電話番号、電子メールアドレス等の端末情報、またはユーザＩＤ、パスワード等のユーザ情報を認証することで、印刷を制限する方法がある（例えば、特許文献１、特許文献２、特許文献３参照。）。
【０００４】
また、近くから印刷指示された印刷ジョブの処理の優先度を上げたい、印刷指示が発信された区域毎、ビルのフロア毎等に排出ビン、課金方法等を変えたい、白黒印刷のみ許可したい等、印刷指示が発信された位置に応じて印刷設定を変えたいという要望がある。
【０００５】
従来の技術では、例えば、携帯端末のＵＩ［User Interface］から印刷設定を指示したり、電話番号、電子メールアドレス等の端末情報、またはユーザＩＤ、パスワード等のユーザ情報と印刷設定を対応付けて登録することで、携帯端末より印刷設定を指定する方法がある（例えば、特許文献４、特許文献５、特許文献６参照。）。
【０００６】
また、携帯端末からの印刷指示を受け付けることが可能な従来のプリンタでは、携帯端末からの印刷指示を受信した時点でウォームアップ動作を開始するため、ユーザはウォームアップ動作が完了するまで待つ必要があり、ウォームアップ動作の完了後に印刷が開始するために印刷時間の短縮に限界があるという問題を有している。
【０００７】
そこで、例えば、携帯端末が所定範囲内に近付いてきた時点でウォームアップ動作を開始するプリンタがある（例えば、特許文献７参照。）。
【特許文献１】特開平１１−１４６１１８号公報
【特許文献２】特開２００１−２９０６２０号公報
【特許文献３】特開２００３−３３０６３９号公報
【特許文献４】特開２００２−２９７３４５号公報
【特許文献５】特開２００２−２０２８７０号公報
【特許文献６】特開２００３−２４８５５９号公報
【特許文献７】特開２００３−３９７８４号公報
【発明の開示】
【発明が解決しようとする課題】
【０００８】
しかし、特許文献１に記載の技術、特許文献２に記載の技術、特許文献３に記載の技術、特許文献４に記載の技術、特許文献５に記載の技術、および特許文献６では、端末情報やユーザ情報を登録するという手間がかかる上に、端末が移動してしまった場合は再登録を行わない限りアクセス制御を行うことはできなかった。更に、印刷指示が発信された位置に応じて印刷の許可／禁止を制御することは困難である。
【０００９】
また、特許文献７に記載の技術では、ユーザがバイク、自動車等でプリンタに移動してくる場合、ウォームアップ動作が間に合わず、逆に、ユーザがゆっくり歩いてプリンタに移動してくる場合、ウォームアップ動作の完了から印刷開始までに間が空いてしまい、無駄な電力を消費してしまうという問題がある。
【００１０】
一方、近年では、ＧＰＳ［Global Positioning System］機能付き携帯電話等の位置情報を発信することが可能な携帯端末が増えてきている。
【００１１】
そこで、本発明は、上述した状況を背景に、印刷指示を発信した携帯端末の位置情報に基づいてプリンタの印刷を制御することが可能な印刷制御装置、方法、システムおよびプログラムを提供することを目的とする。
【課題を解決するための手段】
【００１２】
上記目的を達成するため、請求項１の発明は、携帯端末から送信された印刷指示および該携帯端末の位置を示す位置情報を無線ネットワークを介して受信する受信手段と、前記受信手段で受信した位置情報に基づき、印刷処理の制御を行う印刷制御手段とを具備することを特徴とする。
【００１３】
また、請求項２の発明は、請求項１の発明において、前記位置情報に対応する印刷処理の許可／禁止の設定を保管する印刷許可設定保管手段を更に具備し、前記印刷制御手段は、前記印刷許可設定保管手段に保管されている位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可することを特徴とする。
【００１４】
また、請求項３の発明は、請求項１の発明において、前記位置情報に対応する印刷設定を保管する印刷設定保管手段を更に具備し、前記印刷制御手段は、前記印刷設定保管手段に保管されている位置情報に対応する印刷設定に基づき、前記携帯端末から送信された印刷指示に含まれる位置情報に対応する印刷設定を取得し、該取得した印刷設定に従って印刷処理を実行することを特徴とする。
【００１５】
また、請求項４の発明は、請求項１の発明において、前記位置情報に基づき、前記携帯端末で印刷指示を行った印刷指示者が、該印刷指示により指定された画像形成を行う画像形成手段に到着するのに係る時間を算出する到着時間算出手段と、前記画像形成手段に到着するのに係る時間に基づいて該画像形成手段のウォームアップ動作の開始を制御するウォームアップ制御手段とを更に具備することを特徴とする。
【００１６】
また、請求項５の発明は、請求項１の発明において、画像形成を行う画像形成手段のウォームアップ動作を開始するウォームアップ動作開始範囲を保管するウォームアップ開始範囲保持手段と、前記位置情報に基づき、前記携帯端末で印刷指示を行った印刷指示者が、該印刷指示により指定された前記画像形成手段に到着するのに係る時間を算出する到着時間算出手段と、前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御するウォームアップ制御手段とを更に具備することを特徴とする。
【００１７】
また、請求項６の発明は、請求項１の発明において、前記位置情報に基づき、前記携帯端末で印刷指示を行った印刷指示者が、該印刷指示により指定された画像形成を行う画像形成手段に到着する時刻を算出する到着時刻算出手段と、前記画像形成手段に到着する時刻に基づいて該画像形成手段のウォームアップ動作の開始を制御するウォームアップ制御手段とを更に具備することを特徴とする。
【００１８】
また、請求項７の発明は、請求項１の発明において、画像形成を行う画像形成手段のウォームアップ動作を開始するウォームアップ動作開始範囲を保管するウォームアップ開始範囲保持手段と、前記位置情報に基づき、前記携帯端末で印刷指示を行った印刷指示者が、該印刷指示により指定された前記画像形成手段に到着する時刻を算出する到着時刻算出手段と、前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御するウォームアップ制御手段とを更に具備することを特徴とする。
【００１９】
また、請求項８の発明は、受信手段が携帯端末から送信された印刷指示および該携帯端末の位置を示す位置情報を無線ネットワークを介して受信し、印刷制御手段が前記受信した位置情報に基づき、印刷処理の制御を行うことを特徴とする。
【００２０】
また、請求項９の発明は、請求項８の発明において、印刷許可設定保管手段が前記位置情報に対応する印刷処理の許可／禁止の設定を保管し、前記印刷制御手段が、前記位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可することを特徴とする。
【００２１】
また、請求項１０の発明は、請求項８の発明において、印刷設定保管手段が前記位置情報に対応する印刷設定を保管し、前記印刷制御手段が、前記位置情報に対応する印刷設定に基づき、前記携帯端末から送信された印刷指示に含まれる位置情報に対応する印刷設定を取得し、該取得した印刷設定に従って印刷処理を実行することを特徴とする。
【００２２】
また、請求項１１の発明は、請求項８の発明において、到着時間算出手段が前記位置情報に基づき、前記携帯端末で印刷指示を行った印刷指示者が、該印刷指示により指定された画像形成を行う画像形成手段に到着するのに係る時間を算出し、ウォームアップ制御手段が前記画像形成手段に到着するのに係る時間に基づいて該画像形成手段のウォームアップ動作の開始を制御することを特徴とする。
【００２３】
また、請求項１２の発明は、請求項８の発明において、ウォームアップ開始範囲保持手段が画像形成を行う画像形成手段のウォームアップ動作を開始するウォームアップ動作開始範囲を保管し、到着時間算出手段が前記位置情報に基づき、前記携帯端末で印刷指示を行った印刷指示者が、該印刷指示により指定された前記画像形成手段に到着するのに係る時間を算出し、ウォームアップ制御手段が前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御することを特徴とする。
【００２４】
また、請求項１３の発明は、請求項８の発明において、到着時刻算出手段が前記位置情報に基づき、前記携帯端末で印刷指示を行った印刷指示者が、該印刷指示により指定された画像形成を行う画像形成手段に到着する時刻を算出し、ウォームアップ制御手段が前記画像形成手段に到着する時刻に基づいて該画像形成手段のウォームアップ動作の開始を制御することを特徴とする。
【００２５】
また、請求項１４の発明は、請求項８の発明において、ウォームアップ開始範囲保持手段が画像形成を行う画像形成手段のウォームアップ動作を開始するウォームアップ動作開始範囲を保管し、到着時刻算出手段が前記位置情報に基づき、前記携帯端末で印刷指示を行った印刷指示者が、該印刷指示により指定された前記画像形成手段に到着する時刻を算出し、ウォームアップ制御手段が前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御することを特徴とする。
【００２６】
また、請求項１５の発明は、印刷指示および自機の位置を示す位置情報を無線ネットワークを介して送信する携帯端末と、前記携帯端末から送信された印刷指示および位置情報を前記無線ネットワークを介して受信する受信手段と、前記受信手段で受信した位置情報に基づき、印刷処理の制御を行う印刷制御手段とを具備する印刷制御装置とを具備することを特徴とする。
【００２７】
また、請求項１６の発明は、請求項１５の発明において、前記印刷制御装置は、前記位置情報に対応する印刷処理の許可／禁止の設定を保管する印刷許可設定保管手段を更に具備し、前記携帯端末は、前記印刷制御装置に対して前記位置情報を含む印刷指示を送信し、前記印刷制御手段は、前記印刷許可設定保管手段に保管されている位置情報に対応する印刷処理の許可／禁止の設定に基づいて、前記携帯端末から送信された印刷指示に含まれる位置情報に対応する印刷処理が許可の場合、該印刷指示に応じた印刷処理の実行を許可することを特徴とする。
【００２８】
また、請求項１７の発明は、請求項１５の発明において、前記印刷制御装置は、前記位置情報に対応する印刷設定を保管する印刷設定保管手段を更に具備し、前記携帯端末は、前記印刷制御装置に対して前記位置情報を含む印刷指示を送信し、前記印刷制御手段は、前記印刷設定保管手段に保管されている位置情報に対応する印刷設定に基づき、前記携帯端末から送信された印刷指示に含まれる位置情報に対応する印刷設定を取得し、該取得した印刷設定に従って印刷処理を実行することを特徴とする。
【００２９】
また、請求項１８の発明は、請求項１５の発明において、前記印刷制御装置は、前記位置情報に基づき、前記携帯端末で印刷指示を行った印刷指示者が、該印刷指示により指定された画像形成を行う画像形成手段に到着するのに係る時間を算出する到着時間算出手段と、前記画像形成手段に到着するのに係る時間に基づいて該画像形成手段のウォームアップ動作の開始を制御するウォームアップ制御手段とを更に具備することを特徴とする。
【００３０】
また、請求項１９の発明は、請求項１５の発明において、前記印刷制御装置は、画像形成を行う画像形成手段のウォームアップ動作を開始するウォームアップ動作開始範囲を保管するウォームアップ開始範囲保持手段と、前記位置情報に基づき、前記携帯端末で印刷指示を行った印刷指示者が、該印刷指示により指定された前記画像形成手段に到着するのに係る時間を算出する到着時間算出手段と、前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御するウォームアップ制御手段とを更に具備することを特徴とする。
【００３１】
また、請求項２０の発明は、請求項１５の発明において、前記印刷制御装置は、前記位置情報に基づき、前記携帯端末で印刷指示を行った印刷指示者が、該印刷指示により指定された画像形成を行う画像形成手段に到着する時刻を算出する到着時刻算出手段と、前記画像形成手段に到着する時刻に基づいて該画像形成手段のウォームアップ動作の開始を制御するウォームアップ制御手段とを更に具備することを特徴とする。
【００３２】
また、請求項２１の発明は、請求項１５の発明において、前記印刷制御装置は、画像形成を行う画像形成手段のウォームアップ動作を開始するウォームアップ動作開始範囲を保管するウォームアップ開始範囲保持手段と、前記位置情報に基づき、前記携帯端末で印刷指示を行った印刷指示者が、該印刷指示により指定された前記画像形成手段に到着する時刻を算出する到着時刻算出手段と、前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御するウォームアップ制御手段とを更に具備することを特徴とする。
【００３３】
また、請求項２２の発明は、携帯端末から送信された印刷指示および該携帯端末の位置を示す位置情報を無線ネットワークを介して受信する処理と、該受信した位置情報に基づき、印刷処理の制御を行う処理とをコンピュータに動作させることを特徴とする。
【００３４】
また、請求項２３の発明は、請求項２２の発明において、前記位置情報に対応する印刷処理の許可／禁止の設定を保管する処理と、該保管されている位置情報に対応する印刷処理の許可／禁止の設定に基づいて、前記携帯端末から送信された印刷指示に含まれる位置情報に対応する印刷処理が許可の場合、前記印刷指示に応じた印刷処理の実行を許可する処理とをコンピュータに動作させることを特徴とする。
【００３５】
また、請求項２４の発明は、請求項２２の発明において、前記位置情報に対応する印刷設定を保管する処理と、該保管されている位置情報に対応する印刷設定に基づき、前記携帯端末から送信された印刷指示に含まれる位置情報に対応する印刷設定を取得する処理と、該取得した印刷設定に従って印刷処理を実行する処理とをコンピュータに動作させることを特徴とする。
【００３６】
また、請求項２５の発明は、請求項２２の発明において、前記位置情報に基づき、前記携帯端末で印刷指示を行った印刷指示者が、該印刷指示により指定された画像形成を行う画像形成手段に到着するのに係る時間を算出する処理と、前記画像形成手段に到着するのに係る時間に基づいて該画像形成手段のウォームアップ動作の開始を制御する処理とをコンピュータに動作させることを特徴とする。
【００３７】
また、請求項２６の発明は、請求項２２の発明において、画像形成を行う画像形成手段のウォームアップ動作を開始するウォームアップ動作開始範囲を保管する処理と、前記位置情報に基づき、前記携帯端末で印刷指示を行った印刷指示者が、該印刷指示により指定された前記画像形成手段に到着するのに係る時間を算出する処理と、前記携帯端末から送信される位置情報が前記ウォームアップ開始範囲手段に保管されているウォームアップ開始範囲内の場合、前記画像形成手段に到着するのに係る時間に基づいて該画像形成手段のウォームアップ動作の開始を制御する処理とをコンピュータに動作させることを特徴とする。
【００３８】
また、請求項２７の発明は、請求項２２の発明において、前記位置情報に基づき、前記携帯端末で印刷指示を行った印刷指示者が、該印刷指示により指定された画像形成を行う画像形成手段に到着する時刻を算出する処理と、前記画像形成手段に到着する時刻に基づいて該画像形成手段のウォームアップ動作の開始を制御する処理とをコンピュータに動作させることを特徴とする。
【００３９】
また、請求項２８の発明は、請求項２２の発明において、画像形成を行う画像形成手段のウォームアップ動作を開始するウォームアップ動作開始範囲を保管する処理と、前記位置情報に基づき、前記携帯端末で印刷指示を行った印刷指示者が、該印刷指示により指定された前記画像形成手段に到着する時刻を算出する処理と、前記携帯端末から送信される位置情報が前記ウォームアップ開始範囲手段に保管されているウォームアップ開始範囲内の場合、前記画像形成手段に到着する時刻に基づいて該画像形成手段のウォームアップ動作の開始を制御する処理とをコンピュータに動作させることを特徴とする。
【発明の効果】
【００４０】
本発明によれば、印刷指示を送信した位置毎に印刷の許可／禁止を設定したい場合に、各端末やグループ毎に設定を登録する手間や、その端末が登録されていた位置から移動してしまった場合による再登録する手間を省くことが可能になるという効果を奏する。
【００４１】
更に、本発明によれば、印刷指示を送信した位置毎に印刷設定を変えたい場合に、携帯端末から印刷指示を送信する都度、印刷設定を指定する手間や、各端末やグループ毎に印刷設定を登録する手間を省くことが可能になるという効果を奏する。
【００４２】
更に、本発明によれば、印刷指示者の移動方法に関わらず、印刷時間の短縮が可能になるとともに、印刷指示者の移動方法に応じたウォームアップ動作の開始時刻を算出することで、無駄な電力消費を回避することが可能になるという効果を奏する。
【発明を実施するための最良の形態】
【００４３】
以下、本発明に係る印刷制御装置、方法、システムおよびプログラムの実施の形態について添付図面を参照して詳細に説明する。
【００４４】
図１は、本発明に係る印刷制御装置１を適用した印刷システム２の構成の一例を示す図である。
【００４５】
図１に示すように、印刷システム２は、本発明に係る印刷制御装置１、ＧＰＳ等の位置情報測定機能を搭載した携帯端末３（更に、方位、高度を測定する機能を搭載しても良い）、プリンタ４、ＰＣ５［Personal Computer］から構成されている。印刷制御装置１は、有線／無線のネットワーク６を介してＰＣ５、携帯端末３と通信が可能になっている。また、印刷制御装置１は、ネットワークケーブルまたはローカルケーブルを介してプリンタ４と通信が可能になっている。
【００４６】
この印刷システム２では、携帯端末３またはＰＣ４が印刷指示を印刷制御装置１に送信すると、印刷制御装置１が当該印刷指示に応じて印刷処理を行う。なお、印刷制御装置１は、印刷指示とともに印刷データを受け付けた場合は当該印刷データの印刷処理を行い、印刷指示だけ受け付け、当該印刷指示に印刷データの保管場所（例えば、ネットワーク上のファイルサーバ等）を示すＵＲＬ［Uniform Resource Locator］等の情報が含まれている場合はＵＲＬ先から印刷データを取得し、取得した印刷データの印刷処理を行うことも可能である。
【００４７】
次に、印刷制御装置１の機能的な構成について説明する。
【００４８】
図１に示すように、印刷制御装置１は、通信制御部７、設定処理部８、設定データベース９、ローカルＵＩ１０、印刷制御部１１、位置情報検出部１２、到着時間算出部１３、到着時刻算出部１４を具備して構成される。
【００４９】
通信制御部７は、有線／無線のネットワーク６に接続してＰＣ５、携帯端末３と通信を行う。
【００５０】
設定データベース９は、位置情報に対応する印刷許可／禁止の設定（以後、印刷許可設定と称する）、位置情報に対応する印刷の設定（以後、印刷設定と称する）、プリンタのウォームアップ動作を開始する範囲（以後、ウォームアップ開始範囲と称する）を保管する。なお、図２に示すように、印刷許可設定として印刷を許可する位置の範囲のエントリーを
左上緯度（度  分  秒）
左下緯度（度  分  秒）
右下緯度（度  分  秒）
右上緯度（度  分  秒）
左上経度（度  分  秒）
左下経度（度  分  秒）
右下経度（度  分  秒）
右上経度（度  分  秒）
下高度（ｍ）
上高度（ｍ）
のセットで複数保持できる。これは一例であり、印刷許可設定には種々の設定を保持することができる。
【００５１】
また、図３に示すように、位置の範囲と対応する印刷設定のエントリーを
左上緯度（度  分  秒）
左下緯度（度  分  秒）
右下緯度（度  分  秒）
右上緯度（度  分  秒）
左上経度（度  分  秒）
左下経度（度  分  秒）
右下経度（度  分  秒）
右上経度（度  分  秒）
下高度（ｍ）
上高度（ｍ）
処理優先度
排出先
課金料金
カラー制限
のセットで複数保持できる。これは一例であり、印刷設定には種々の設定を保持することができる。
【００５２】
なお、設定データベース９は印刷制御装置１に内蔵される構成に限定する必要はなく、リモートのサーバに内蔵される構成でも良い。
【００５３】
設定処理部８は、設定データベース９に保管する印刷許可設定および印刷設定の読み出し／書き出し処理を行う。
【００５４】
ローカルＵＩ１０［User Interface］は、印刷許可設定および印刷設定の追加・変更を行うユーザインターフェースである。なお、当該追加・変更はネットワーク６上のＰＣ５から行うことも可能である。
【００５５】
印刷制御部１１は、携帯端末３またはＰＣ５からの印刷指示に応じた印刷処理の制御を行うとともに、プリンタの動作（例えば、ウォームアップ動作等）の制御を行なう。
【００５６】
位置情報検出部１２は、携帯端末３から受け付けた印刷指示に含まれているＧＰＳで測定した携帯端末３の位置情報（または、画像内の位置情報でも良い）を検出する処理を行う。
【００５７】
到着時間算出部１３は、位置情報検出部１２で検出した位置情報に基づいて携帯端末３の移動速度（即ち、携帯端末３を所有している印刷指示者の移動速度）を算出し、算出した移動速度に基づいて印刷指示者がプリンタ４に到着するのに係る時間を算出する処理を行う。
【００５８】
到着時刻算出部１４は、位置情報検出部１２で検出した位置情報に基づいて携帯端末３の移動速度（即ち、携帯端末３を所有している印刷指示者の移動速度）を算出し、算出した移動速度に基づいて印刷指示者がプリンタ４に到着する時刻を算出する処理を行う。
【００５９】
次に、携帯端末３から印刷指示とともに受け付けた位置情報に基づき、設定データベース９に保管されている印刷許可設定および印刷設定を参照する印刷制御について説明する。
【００６０】
印刷指示者が携帯端末３の操作により印刷指示を実行すると、携帯端末３はＧＰＳにより現在の携帯端末３の位置情報を測定し、測定した位置情報を印刷指示に含めて印刷制御装置１に対して送信する。
【００６１】
印刷制御装置１の通信制御部７は携帯端末３から送信された位置情報を含む印刷指示を受信すると、受信した印刷指示を印刷制御部１１に渡し、印刷制御部１１は印刷指示を受け取ると、受け取った印刷指示を位置情報検出部１２に渡し、位置情報検出部１２は印刷指示を受け取ると、受け取った印刷指示に含まれている位置情報を検出し、検出した位置情報を印刷制御装置１内部で処理可能な形式（緯度／経度／高度情報）に変更し、形式を変更した位置情報を印刷制御部１１に渡し、印刷制御部１１は位置情報を受け取ると、設定処理部８を介して設定データベース９に保管されている印刷許可設定を参照し、位置情報が印刷が許可されている範囲内であるか否かを判断し、範囲内であると判断した場合は印刷許可と判定し、範囲外であると判断した場合は印刷禁止と判定する。ここで、印刷禁止と判定した場合、印刷制御部１１は印刷指示に応じた印刷処理を行わない。
【００６２】
また、印刷許可と判定した場合、印刷制御部１１は設定処理部８を介して設定データベース９に保管されている印刷設定を参照し、位置情報に対応する印刷設定を取得し、取得した印刷設定に従った印刷処理を行い、印刷データをプリンタ４に対して送信する。なお、位置情報に対応する印刷設定が保管されていない場合、デフォルトの印刷設定に従って印刷処理を行ったり、或いは携帯端末３から印刷設定を受け付けていて、且つその印刷設定が許可されている場合、その印刷設定に従って印刷処理を行う。
【００６３】
次に、上述した印刷制御を行う印刷制御装置の処理の流れについて図４に示すフローチャートを参照して説明する。
【００６４】
携帯端末から印刷指示を受け付けると（ステップＳ４０１）、印刷指示に含まれる位置情報を検出し（ステップＳ４０２）、検出した位置情報に基づいて印刷の許可／禁止を判断する（ステップＳ４０３）。ここで、印刷禁止と判断した場合（ステップＳ４０４でＮＯ)、処理を終了する。
【００６５】
印刷許可と判断した場合（ステップＳ４０４でＹＥＳ）、位置情報に対応した印刷設定を取得し（ステップＳ４０５）、取得した印刷設定に従った印刷処理を行い（ステップＳ４０６）、処理を終了する。
【００６６】
従って、印刷指示を送信した携帯端末の位置情報に基づいて印刷許可／禁止を制御することで、同じフロア内でも印刷許可のエリアと印刷禁止のエリアとを区別することが可能になり、また、同じ建物内でも印刷許可のフロアと印刷禁止のフロアとを区別することが可能になる（例えば、１階から送信された印刷指示は印刷許可、２階から送信された印刷指示は印刷禁止）。更に、同じフロア内でもエリア毎に印刷設定を区別して設定することが可能になり、また、同じ建物内でもフロア毎に印刷設定を区別して設定することが可能になる（例えば、１階から送信された印刷指示は１枚の課金料金が１０円で白黒印刷のみ、２階から送信された印刷指示は１枚の課金料金が５０円でカラー印刷）。
【００６７】
次に、携帯端末３から印刷指示とともに受け付けた位置情報に基づくプリンタ４のウォームアップ動作の制御について説明する。
【００６８】
印刷指示者が携帯端末３の操作により印刷指示を実行すると、携帯端末３は自機の特定情報を印刷指示に含めて印刷制御装置１に対して送信し、印刷指示者は携帯端末３を持って印刷物がプリントアウトされるプリンタ４に向かって移動を開始する。
【００６９】
印刷制御装置１の通信制御部７は携帯端末３から送信された特定情報を含む印刷指示を受信すると、携帯端末３の位置情報の監視を開始する。
【００７０】
携帯端末３は所定の時間間隔でＧＰＳにより現在の携帯端末３の位置情報を測定し、測定した位置情報を印刷制御装置１に対して送信する。
【００７１】
印刷制御装置１の通信制御部７は携帯端末３から送信された位置情報を受信すると、受信した位置情報を印刷制御部１１に渡し、印刷制御部１１は位置情報を受け取ると、受け取った位置情報を位置情報検出部１２に渡し、位置情報検出部１２は位置情報を受け取ると、受け取った位置情報を印刷制御装置１内部で処理可能な形式（緯度／経度／高度情報）に変更し、形式を変更した位置情報を印刷制御部１１に渡し、印刷制御部１１は位置情報を受け取ると、設定処理部８を介して設定データベース９に保管されているウォームアップ開始範囲を参照し、位置情報がウォームアップ開始範囲内であるか否かを判断し、範囲外であると判断した場合、印刷制御部１１は位置情報を一時保存し、次の携帯端末３からの位置情報の送信まで待機する。
【００７２】
また、範囲内であると判断した場合、印刷制御部１１はウォームアップ開始範囲内と判断した位置情報、および一時保存している位置情報を到着時間算出部１３に渡し、到着時間算出部１３は位置情報を受け取ると、受け取った位置情報に基づいて印刷指示者の移動速度を算出し、算出した移動速度に基づいて印刷指示者のプリンタ４に到着するのに係る時間（以後、到着時間と称する）を算出し、算出した到着時間を印刷制御部１１に渡し、印刷制御部１１は到着時間を受け取ると、受け取った到着時間に基づいてウォームアップ開始時刻を決定し、ウォームアップ開始時刻になった時点でプリンタ４に対してウォームアップ動作の開始を指示する。
【００７３】
また、範囲内であると判断した場合、印刷制御部１１はウォームアップ開始範囲内と判断した位置情報、および一時保存している位置情報を到着時刻算出部１４に渡し、到着時刻算出部１４は位置情報を受け取ると、受け取った位置情報に基づいて印刷指示者の移動速度を算出し、算出した移動速度に基づいて印刷指示者のプリンタ４の到着時刻を算出し、算出した到着時刻を印刷制御部１１に渡し、印刷制御部１１は到着時刻を受け取ると、ウォームアップ開始時刻（到着時刻−ウォームアップ動作時間）になった時点でプリンタ４に対してウォームアップ動作の開始を指示する。
【００７４】
次に、上述したウォームアップ動作の制御を行う印刷制御装置の処理の流れについて図５に示すフローチャートを参照して説明する。
【００７５】
携帯端末から印刷指示を受け付けると（ステップＳ５０１）、携帯端末の特定情報を検出し（ステップＳ５０２）、所定の時間間隔で携帯端末から送信される位置情報を受信する（ステップＳ５０３）。ここで、検出した位置情報がウォームアップ開始範囲内であるか否か判断し、位置情報がウォームアップ範囲外であると判断した場合（ステップＳ５０４でＮＯ）、ステップＳ５０３に戻る。
【００７６】
また、位置情報がウォームアップ範囲内であると判断した場合（ステップＳ５０４でＮＯ）、位置情報に基づいて携帯端末を持っている印刷指示者の移動速度を算出し（ステップＳ５０５）、算出した移動速度に基づいて印刷指示者のプリンタに到着するのに係る時間（若しくは、印刷指示者のプリンタの到着時刻）を算出し（ステップＳ５０６）、算出した到着時間（若しくは、到着時刻）に基づいてウォームアップ開始時刻を決定する（ステップＳ５０７）。
【００７７】
そして、ウォームアップ開始時刻になると（ステップＳ５０８でＹＥＳ）、プリンタにウォームアップの開始を指示し（ステップＳ５０９）、処理を終了する。
【００７８】
変形例として、印刷制御装置が移動速度を算出せずに、携帯端末自身が移動速度を算出して印刷制御装置に送信する構成でも良い、また、地図データを利用して実際の道のりで到着時刻を算出する構成でも良い（直線距離で算出するよりも正確）、また、移動速度から印刷指示者が自動車で移動していると判断した場合は最寄の駐車場を検索して当該駐車場からは徒歩になることも考慮して到着時刻を算出する構成でも良い、また、ウォームアップ動作だけではなく、デコンポーズ等の前処理も実行する（紙を排出する直前の状態にしておく）構成でも良い、また、プリンタをロックして他の印刷指示者にプリントさせないようにする構成でも良い（印刷予約した印刷指示者がプリンタに到着したと同時に印刷を開始できることを保証）、また、他の印刷指示者がプリンタを使用している場合はその旨を携帯端末に通知する構成でも良い（印刷予約した印刷指示者がプリンタに到着しても直には印刷を開始できないことを前もって知らせる）。
【００７９】
なお、本発明は、上述した基本構成をモジュールとして具備する印刷制御プログラムをサーバ等の情報処理装置にインストールする構成でも適用可能である。
【００８０】
本発明は、上記し、且つ図面に示した実施例に限定することなく、その要旨を変更しない範囲内で適宜変形して実施できるものである。
【図面の簡単な説明】
【００８１】
【図１】本発明に係る印刷制御装置を適用した印刷システムの構成の一例を示す図である。
【図２】印刷許可設定として印刷を許可する位置の範囲のエントリーの一例を示す図である。
【図３】位置の範囲と対応する印刷設定のエントリーの一例を示す図である。
【図４】印刷制御装置の処理の流れを示すフローチャートである。
【図５】ウォームアップ動作の制御を行なう印刷制御装置の処理の流れを示す図である。
【符号の説明】
【００８２】
１    印刷制御装置
２    印刷システム
３    携帯端末
４    プリンタ
５    ＰＣ
６    ネットワーク
７    通信制御部
８    設定処理部
９    設定データベース
１０    ローカルＵＩ
１１    印刷制御部
１２    位置情報検出部
１３    到着時間算出部
１４    到着時刻算出部
【図１】
2007148532.tif 000003
【図２】
2007148532.tif 000004
【図３】
2007148532.tif 000005
【図４】
2007148532.tif 000006
【図５】
2007148532.tif 000007